【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
互いに固定された２枚の剥離可能シートの長手方向に沿って間隔を空けて配置され、且つ前記シート間に画定された医薬を収容するための複数のポケットを有する医薬キャリアとともに用いるための医薬ディスペンサーであって、前記医薬キャリア内に入っている前記医薬にアクセスするための内部投薬機構を備えてなり、
前記機構が、
ａ）前記医薬キャリアのポケットの１つを収容するための開放ステーションと、
ｂ）前記開放ステーションに収容されたポケットのベースシートおよび蓋シートに係合し、そのベースシートと蓋シートを剥離することによってそのポケットを開放するように配置された剥離手段と、ここでこの剥離手段は、前記開放ステーションに収容されたポケットの蓋シートとベースシートを引き剥がすための蓋駆動手段を備え、この蓋駆動手段は、前記蓋シートが巻き付くホイールを備え、このホイールは有効巻き取り表面を有し、その直径は、蓋シートが前記ホイールの周囲に巻き付くにつれて増大し、
ｃ）ユーザーが開放されたポケットから医薬を取り出すことを可能にする、開放ポケットと連通するように配置された排出口と、 
ｄ）前記医薬ディスペンサーで使用されている医薬キャリアのポケットを、前記排出口と連通して間欠送りするための間欠送り手段であって、一方の動きが他方の動きと相関するように前記蓋駆動手段と相互に連結されている間欠送り手段と、
ｅ）前記間欠送り手段および前記蓋駆動手段と連絡している、複数のギヤ係合位置を規定するギヤリング表面と、その複数のギヤ係合位置に係合するための複数のギヤ歯とを有するクラッチ手段と
を備え、
前記複数のギヤ歯が、いずれの時点においても、１個のギヤ歯のみが１個のギヤ係合位置に係合するように配置されていることを特徴とする、医薬ディスペンサー。
【請求項２】
前記ギヤリング表面および複数のギヤ歯が、規定可能な個々のギヤ位置の数が、ギヤ係合位置の数にギヤ歯数を掛けたものに等しくなるように配置されている、請求項１に記載の医薬ディスペンサー。
【請求項３】
前記ギヤリング表面が、20〜100個のギヤ係合位置を規定している、請求項１または２に記載の医薬ディスペンサー。
【請求項４】
ギヤ歯の数が２〜20個である、請求項１〜３のいずれか１項に記載の医薬ディスペンサー。
【請求項５】
前記ギヤ係合位置が等間隔で配置されており、前記ギヤ歯がそれに対してオフセットされている、請求項１〜４のいずれか１項に記載の医薬ディスペンサー。
【請求項６】
前記ギヤ係合位置が等間隔で配置されており、前記ギヤ歯が、前記ギヤ歯を複数のオフセット位置に対して揺動可能な揺動要素上に配置されている、請求項１〜５のいずれか１項に記載の医薬ディスペンサー。
【請求項７】
前記クラッチ手段が前記蓋駆動手段または前記間欠送り手段のいずれとも一体形成されていない、請求項１〜６のいずれか１項に記載の医薬ディスペンサー。
【請求項８】
前記ギヤリング表面がギヤホイールからなる、請求項１〜７のいずれか１項に記載の医薬ディスペンサー。
【請求項９】
前記ギヤ歯がラチェット形態で配置されている、請求項１〜８のいずれか１項に記載の医薬ディスペンサー。
【請求項１０】
前記ギヤリング表面および前記複数のギヤ歯が係合のために偏倚している、請求項１〜９のいずれか１項に記載の医薬ディスペンサー。
【請求項１１】
前記間欠送り手段が、くぼみを有する回転式間欠送りホイールを有し、前記間欠送りホイールが医薬ディスペンサーに使用されている医薬キャリアと係合可能であり、前記くぼみそれぞれが、医薬ディスペンサーに使用されている医薬キャリアのベースシートの各ポケットを収容するようになされている、請求項１〜１０のいずれか１項に記載の医薬ディスペンサー。
【請求項１２】
前記間欠送り手段が間欠送りラチェットを有し、この間欠送りラチェットが、前記医薬キャリアのポケットに係合してそのキャリアのさらなる剥離を妨げるロック位置と、前記医薬キャリアの自由な移動を可能にするリリース位置との間を移動可能であり、前記医薬ディスペンサーの駆動により、前記蓋駆動手段が駆動して前記間欠送りラチェットが前記医薬キャリアから離れ、キャリアの剥離が可能となる、請求項１〜１０のいずれか１項に記載の医薬ディスペンサー。
【請求項１３】
前記間欠送り手段および／または前記蓋駆動手段と相互に連結された、医薬ディスペンサーを駆動するための間欠送りレバーをさらに有する、請求項１〜１２のいずれか１項に記載の医薬ディスペンサー。
【請求項１４】
前記間欠送り手段および／または前記蓋駆動手段が、電子駆動システムによって動作される、請求項１〜１３のいずれか１項に記載の医薬ディスペンサー。
【請求項１５】
前記電子駆動システムを機械的駆動システムと併用する、請求項１４に記載の医薬ディスペンサー。
【請求項１６】
前記内部機構がカセット内に収容されている、請求項１〜１５のいずれか１項に記載の医薬ディスペンサー。
【請求項１７】
本体；
前記本体内に嵌合する形状を有し、前記本体に対して移動可能なホルダー；および
前記ホルダーによって収容可能な、前記医薬キャリアを有するカセット
を有する、請求項１６に記載の医薬ディスペンサー。
【請求項１８】
前記本体に対して前記ホルダーを移動させることによって、前記カセットが第１の位置と第２の位置の間を移動し、その際、前記カセットが第２の位置にある時に前記カセットが前記ホルダーから可逆的に脱離可能であるようになされている、請求項１７に記載の医薬ディスペンサー。
【請求項１９】
前記第１の位置が投薬位置からなる、請求項１８に記載の医薬ディスペンサー。
【請求項２０】
前記第２の位置が非投薬位置からなる、請求項１８に記載の医薬ディスペンサー。
【請求項２１】
前記ホルダーおよび本体に、前記ホルダーを前記本体に取り付けるための取り付け手段がある、請求項１７〜２０のいずれか１項に記載の医薬ディスペンサー。
【請求項２２】
前記取り付け手段が、ピン−穴システムを有する、請求項２１に記載の医薬ディスペンサー。
【請求項２３】
前記ホルダーが前記本体に対して枢動可能である、請求項１７〜２２のいずれか１項に記載の医薬ディスペンサー。
【請求項２４】
前記ホルダーが前記本体に対して回転式に移動可能である、請求項１７〜２２のいずれか１項に記載の医薬ディスペンサー。
【請求項２５】
前記ホルダーがさらに、前記本体に対する前記ホルダーの動きを180°に制限するためのストッパーを有する、請求項２３または２４に記載の医薬ディスペンサー。
【請求項２６】
前記ホルダーが前記本体に対して摺動可能である、請求項１７〜２１のいずれか１項に記載の医薬ディスペンサー。
【請求項２７】
前記ホルダーがさらに、前記カセットを保持するためのキャッチを有する、請求項１７〜２６のいずれか１項に記載の医薬ディスペンサー。
【請求項２８】
前記キャッチがチャイルド・レジスタントなものである、請求項２７に記載の医薬ディスペンサー。
【請求項２９】
前記カセットがさらに、間欠送りレバーを有する、請求項１７〜２８のいずれか１項に記載の医薬ディスペンサー。
【請求項３０】
前記カセットがさらにマウスピースを有する、請求項１７〜２９のいずれか１項に記載の医薬ディスペンサー。
【請求項３１】
前記マウスピースが拡大可能である、請求項３０に記載の医薬ディスペンサー。
【請求項３２】
前記マウスピースが格納式である、請求項３０に記載の医薬ディスペンサー。
【請求項３３】
前記マウスピースが伸縮式である、請求項３０〜３２のいずれか１項に記載の医薬ディスペンサー。
【請求項３４】
前記マウスピースが静的である、請求項３０に記載の医薬ディスペンサー。
【請求項３５】
前記カセットが前記非投薬位置にある時に、前記本体が前記マウスピースおよび間欠送りレバーを覆っている、請求項３０〜３４のいずれか１項に記載の医薬ディスペンサー。
【請求項３６】
前記カセットがさらに、前記ホルダーに対して嵌合するための隆起部分を有する、請求項１７〜３５のいずれか１項に記載の医薬ディスペンサー。
【請求項３７】
前記内部機構が、前記ベースシートおよび蓋シートが剥離可能な形で互いに封止されている時に前記医薬キャリアの前記細長い帯片を収容する第１のチャンバと、前記ベースシートが前記間欠送りホイールの周りに間欠送りされ、前記蓋シートから分離された後にそのベースシートを収容する第２のチャンバとをさらに有する、請求項１〜３６のいずれか１項に記載の医薬ディスペンサー。
【請求項３８】
前記第１のチャンバおよび前記第２のチャンバが壁によって分離されている、請求項３７に記載の医薬ディスペンサー。
【請求項３９】
前記壁が移動可能であることで、前記第１および第２のチャンバの大きさが調節される、請求項３８に記載の医薬ディスペンサー。
【請求項４０】
前記本体の少なくとも一部がユーザーが把持しやすい形状を有する、請求項１７〜３９のいずれか１項に記載の医薬ディスペンサー。
【請求項４１】
前記ホルダーが、親指グリップまたは指グリップを有する、請求項１７〜４０のいずれか１項に記載の医薬ディスペンサー。
【請求項４２】
前記装置の操作を片手で行うことができる、請求項１〜４１のいずれか１項に記載の医薬ディスペンサー。
【請求項４３】
前記医薬が粉末または固体（例えば錠剤）形態である、請求項１〜４２のいずれか１項に記載の医薬ディスペンサー。
【請求項４４】
前記医薬が薬剤を含む、請求項４３に記載の医薬ディスペンサー。
【請求項４５】
前記薬剤が、アルブテロール、サルメテロール、プロピオン酸フルチカゾンおよびジプロピオン酸ベクロメタゾンおよびそれらの塩または溶媒和物ならびにそれらのいずれかの組み合わせからなる群から選択される、請求項４４に記載の医薬ディスペンサー。
【請求項４６】
前記組み合わせが、キシナホ酸サルメテロールおよびプロピオン酸フルチカゾンを含む、請求項４５に記載の医薬ディスペンサー。
【請求項４７】
前記医薬がさらに賦形剤を含む、請求項４３〜４６のいずれか１項に記載の医薬ディスペンサー。
【請求項４８】
前記賦形剤が糖である、請求項４７に記載の医薬ディスペンサー。
【請求項４９】
請求項１６〜４８のいずれか１項に記載のカセット、前記カセット用ホルダーおよび本体を有する部品キットであって、前記ホルダーが前記本体内に嵌合するような形状であり、前記本体に対して移動可能なものである、キット。
【請求項５０】
請求項１７〜４８のいずれか１項に記載の医薬ディスペンサーにおいて使用するための本体およびホルダー。
【請求項５１】
請求項１６〜４８のいずれか１項に記載の医薬ディスペンサーにおいて使用するためのカセット。